(57)【要約】【課題】簡単な設備と手順で、各表示装置の配列位置を認識することが可能な画像表示システムを提供する。【解決手段】各表示装置ｍ１〜ｍ９が互いに分離されてそれぞれ単独で動作している状態で、各表示装置ｍ１〜ｍ９別に、各温度センサ１７ａ〜１７ｄにより筐体３１の各側板３１ａ、３１ｂ、３１ｃ、３１ｄの近傍の温度を検出し、これらの検出温度の変化分を各第１温度Ｅａ〜Ｅｄとして求め、マルチディスプレイＭを構成した状態でも、各表示装置ｍ１〜ｍ９別に、各第１温度Ｅａ〜Ｅｄと同様の方法で各第２温度Ｆａ〜Ｆｄを求め、各第２温度Ｆａ〜Ｆｄから各第１温度Ｅａ〜Ｅｄを差し引いてなる各温度差ΔＧａ〜ΔＧｄの「小」又は「大」を温度テーブルＤ１に書き込み、配列位置認識テーブルＤ２を参照して、温度テーブルＤ１の各温度差ΔＧａ〜ΔＧｄに対応する自己の表示装置の配列位置を求めている。【選択図】図９
2014203042.tif 000002
【特許請求の範囲】
【請求項１】
複数の表示装置を配列して組み合わせてなるマルチディスプレイに画像を表示する画像表示システムであって、
前記各表示装置の温度を検出するそれぞれの温度検出部と、
前記各表示装置別に、前記各表示装置が互いに分離されてそれぞれ単独で動作しているときに前記温度検出部により予め検出された前記表示装置の第１温度、及び前記各表示装置が前記マルチディスプレイとして動作しているときに前記温度検出部により検出された前記表示装置の第２温度に基づき、前記マルチディスプレイにおける前記表示装置の配列位置を求める制御部とを備えたことを特徴とする画像表示システム。
【請求項２】
請求項１に記載の画像表示システムであって、
前記各表示装置は、冷却装置をそれぞれ備え、
前記制御部は、前記各表示装置別に、前記表示装置の冷却装置が停止した状態で前記温度検出部により検出された前記表示装置の第１温度及び第２温度に基づき前記マルチディスプレイにおける前記表示装置の配列位置を求めることを特徴とする画像表示システム。
【請求項３】
請求項１又は２に記載の画像表示システムであって、
前記各表示装置の画面が矩形であって、前記各表示装置別に、前記矩形の画面の各辺に沿う前記表示装置の各側部に前記温度検出部をそれぞれ設け、
前記制御部は、前記各表示装置別に、前記各温度検出部により検出された前記表示装置の各側部の第１温度及び第２温度に基づき前記マルチディスプレイにおける前記表示装置の配列位置を求めることを特徴とする画像表示システム。
【発明の詳細な説明】
【技術分野】
【０００１】
本発明は、複数の表示装置を配列して組み合わせてなるマルチディスプレイに画像を表示する画像表示システムに関する。
【背景技術】
【０００２】
このような画像表示システムでは、複数の表示装置を配列して組み合わせて、マルチディスプレイを構成しており、元画像を各表示装置の個数に応じて複数の画像部分に分割し、各画像部分を各表示装置に拡大表示して、元画像をマルチディスプレイに拡大表示している。このため、各表示装置の配列位置を予め認識しておき、各表示装置の配列位置と各画像部分の配列位置とを対応付ける必要がある。
【０００３】
例えば、特許文献１では、ネットワークハブの各ポートにそれぞれのディスプレイ装置（表示装置）を接続し、複数の番号を各ポートを通じて各表示装置に順次出力して、各番号を各表示装置に順次表示させ、番号が表示装置に表示される度に、カメラによりマルチディスプレイを撮影し、表示装置に表示されている番号を捉えて、マルチディスプレイにおけるその表示装置の配列位置を認識している。
【０００４】
また、特許文献２では、複数の表示装置をデイジーチェーン接続し、複数の番号を各表示装置に順次転送して、各番号を各表示装置にそれぞれ表示させ、撮像装置（カメラ）によりマルチディスプレイを撮影し、各表示装置に表示されているそれぞれの番号を捉えて、マルチディスプレイにおける各表示装置の配列位置を認識している。
【先行技術文献】
【特許文献】
【０００５】
【特許文献１】特開２００８−２８１７１６号公報
【特許文献２】特開２００９−１０９６７１号公報
【発明の概要】
【発明が解決しようとする課題】
【０００６】
しかしながら、特許文献１、２では、カメラが必要であり、また各番号を各表示装置に表示させて、カメラにより各表示装置に表示されているそれぞれの番号を撮影し、各番号を識別するための画像処理を行っていることから、各表示装置の配列位置を認識するまでの手順が煩雑であった。
【０００７】
そこで、本発明は、上記従来の問題点に鑑みなされたものであり、簡単な設備と手順で、各表示装置の配列位置を認識することが可能な画像表示システムを提供することを目的とする。
【課題を解決するための手段】
【０００８】
上記課題を解決するために、本発明の画像表示システムは、複数の表示装置を配列して組み合わせてなるマルチディスプレイに画像を表示する画像表示システムであって、前記各表示装置の温度を検出するそれぞれの温度検出部と、前記各表示装置別に、前記各表示装置が互いに分離されてそれぞれ単独で動作しているときに前記温度検出部により予め検出された前記表示装置の第１温度、及び前記各表示装置が前記マルチディスプレイとして動作しているときに前記温度検出部により検出された前記表示装置の第２温度に基づき、前記マルチディスプレイにおける前記表示装置の配列位置を求める制御部とを備えている。
【０００９】
このような本発明では、マルチディスプレイの中央に配列された表示装置については、表示装置の全周が他の表示装置により囲まれることから放熱され難く、マルチディスプレイの動作時にその温度が上昇し易い。また、マルチディスプレイの外側に配列された表示装置については、表示装置の一部が他の表示装置に隣接するだけであるから放熱され易く、中央の表示装置と比較すると、マルチディスプレイの動作時にその温度が上昇し難い。更に、各表示装置が互いに分離されてそれぞれ単独で動作しているときには、各表示装置のいずれについても、表示装置の全周が開放されていることからより放熱され易く、その温度が上昇し難い。従って、各表示装置が互いに分離されてそれぞれ単独で動作しているときに温度検出部により予め検出された表示装置の温度を第１温度とし、また各表示装置がマルチディスプレイとして動作しているときに温度検出部により検出された表示装置の温度を第２温度とすると、中央の表示装置については第１温度と第２温度との差が大きくなり、また外側の表示装置については第１温度と第２温度との差が小さくなる。このため、制御部は、表示装置の温度検出部により検出された表示装置の第１温度及び第２温度に基づきマルチディスプレイにおける表示装置の配列位置を求めることができる。
【００１０】
また、本発明の画像表示システムにおいては、前記各表示装置は、冷却装置をそれぞれ備え、前記制御部は、前記各表示装置別に、前記表示装置の冷却装置が停止した状態で前記温度検出部により検出された前記表示装置の第１温度及び第２温度に基づき前記マルチディスプレイにおける前記表示装置の配列位置を求めている。
【００１１】
ここで、表示装置に冷却装置が設けられている場合は、マルチディスプレイにおける表示装置の配列位置にかかわらず、表示装置の放熱が促進されることから、第１温度と第２温度との差が小さくなって、第１温度及び第２温度に基づきマルチディスプレイにおける表示装置の配列位置を求めることが困難になる。このため、制御部は、表示装置の冷却装置が停止した状態で検出された表示装置の第１温度及び第２温度に基づきマルチディスプレイにおける表示装置の配列位置を求めている。
【００１２】
更に、本発明の画像表示システムにおいては、前記各表示装置の画面が矩形であって、前記各表示装置別に、前記矩形の画面の各辺に沿う前記表示装置の各側部に前記温度検出部をそれぞれ設け、前記制御部は、前記各表示装置別に、前記各温度検出部により検出された前記表示装置の各側部の第１温度及び第２温度に基づき前記マルチディスプレイにおける前記表示装置の配列位置を求めている。
【００１３】
マルチディスプレイの中央の表示装置については、表示装置の各側部（全周）が他の表示装置により囲まれることから、該各側部のいずれの温度も上昇し易い。また、マルチディスプレイの外側の表示装置については、表示装置の外側に向く側部の温度が上昇し難く、内側に向く他の側部（他の表示装置に隣接する側部）の温度が上昇し易い。このため、各温度検出部により検出された表示装置の各側部の第１温度及び第２温度を用いれば、マルチディスプレイにおける表示装置の配列位置をより正確に求めることができる。
【発明の効果】
【００１４】
このような本発明では、マルチディスプレイの中央に配列された表示装置については、表示装置の全周が他の表示装置により囲まれることから放熱され難く、マルチディスプレイの動作時にその温度が上昇し易い。また、マルチディスプレイの外側に配列された表示装置については、表示装置の一部が他の表示装置に隣接するだけであるから放熱され易く、中央の表示装置と比較すると、マルチディスプレイの動作時にその温度が上昇し難い。更に、各表示装置が互いに分離されてそれぞれ単独で動作しているときには、各表示装置のいずれについても、表示装置の全周が開放されていることからより放熱され易く、その温度が上昇し難い。従って、各表示装置が互いに分離されてそれぞれ単独で動作しているときに温度検出部により予め検出された表示装置の温度を第１温度とし、また各表示装置がマルチディスプレイとして動作しているときに温度検出部により検出された表示装置の温度を第２温度とすると、中央の表示装置については第１温度と第２温度との差が大きくなり、また外側の表示装置については第１温度と第２温度との差が小さくなる。このため、制御部は、表示装置の温度検出部により検出された表示装置の第１温度及び第２温度に基づきマルチディスプレイにおける表示装置の配列位置を求めることができる。
【図面の簡単な説明】
【００１５】
【図１】本発明の画像表示システムの一実施形態を概略的に示すブロック図である。
【図２】画像表示システムのマルチディスプレイにおける各表示装置の配列位置を概念的に示す図である。
【図３】マルチディスプレイにおける表示装置の構成を示すブロック図である。
【図４】表示装置の主制御部の構成を示すブロック図である。
【図５】表示装置における液晶パネル、冷却装置、及び各温度センサ等の配置位置を示す概略図である。
【図６】表示装置の各温度センサの検出温度特性を示すグラフである。
【図７】温度センサの配置位置、各第１温度、各第２温度、及び各温度差を対応付けて記憶したデータテーブルを概念的に示す図である。
【図８】マルチディスプレイにおける各表示装置の配列位置と各温度差の組み合わせとを対応付けて記憶したデータテーブルを概念的に示す図である。
【図９】マルチディスプレイにおける表示装置の配列位置を判定するための処理手順を示すフローチャートである。
【発明を実施するための形態】
【００１６】
以下、本発明の実施形態を添付図面を参照して詳細に説明する。
【００１７】
図１は、本発明の画像表示システムの一実施形態を概略的に示すブロック図である。本実施形態の画像表示システムＳでは、９台の各表示装置ｍ１〜ｍ９を縦横３台ずつ配列して組み合わせ、各表示装置ｍ１〜ｍ９を隣同士で接近又は密接させて、マルチディスプレイＭを構成している。また、各表示装置ｍ１〜ｍ９をデイジーチェーン接続し、元画像を示す画像データ及び制御データをシステム制御部１から表示装置ｍ１→ｍ２→…→ｍ８→ｍ９という順序で転送し、各表示装置ｍ１〜ｍ９毎に、マルチディスプレイＭにおける表示装置の配列位置に応じて該表示装置に表示すべき画像部分を元画像から切り出し、つまりその画像部分を示す画像データを取得し、画像部分を表示装置の画面に拡大表示している。これにより、元画像がマルチディスプレイＭに拡大表示される。
【００１８】
デイジーチェーン接続においては、システム制御部１の画像出力ポート及び制御出力ポートがそれぞれのケーブル２、３を通じて表示装置ｍ１の画像入力ポート及び制御入力ポートに接続され、表示装置ｍ１の画像出力ポート及び制御出力ポートがそれぞれのケーブル２、３を通じて表示装置ｍ２の画像入力ポート及び制御入力ポートに接続され、以降同様に表示装置ｍ２→…→ｍ８→ｍ９という順序で、表示装置の画像出力ポート及び制御出力ポートがそれぞれのケーブル２、３を通じて次の順番の表示装置の画像入力ポート及び制御入力ポートに接続されている。そして、画像データ及び制御データは、システム制御部１の画像出力ポート及び制御出力ポートから表示装置ｍ１の画像入力ポート及び制御入力ポートへと転送され、引き続いて表示装置ｍ１の画像出力ポート及び制御出力ポートから表示装置ｍ２の画像入力ポート及び制御入力ポートへと転送され、以降同様に表示装置ｍ２→…→ｍ８→ｍ９という順序で、表示装置の画像出力ポート及び制御出力ポートから次の順番の表示装置の画像入力ポート及び制御入力ポートへと順次転送されて行く。
【００１９】
図２は、マルチディスプレイＭにおける各表示装置ｍ１〜ｍ９の配列位置の定義を概念的に示す図である。図２に示すように表示装置ｍ１の配列位置を「下段左」とし、表示装置ｍ２の配列位置を「下段中央」とし、表示装置ｍ３の配列位置を「下段右」とし、表示装置ｍ４の配列位置を「中段右」とし、表示装置ｍ５の配列位置を「中段中央」とし、表示装置ｍ６の配列位置を「中段左」とし、表示装置ｍ７の配列位置を「上段左」とし、表示装置ｍ８の配列位置を「上段中央」とし、表示装置ｍ９の配列位置を「上段右」とする。
【００２０】
図３は、各表示装置ｍ１〜ｍ９の構成を示すブロック図であり、各表示装置ｍ１〜ｍ９を同一構成としている。図３に示すように各表示装置ｍ１〜ｍ９は、液晶表示装置であり、表示装置全体を制御する主制御部１１、液晶パネル１２、表示制御部１３、液晶パネル１２の裏面側に配置されたバックライト１４、バックライト制御部１５、冷却装置１６、表示装置の温度を検出する４つの温度センサ１７ａ〜１７ｄ、及び表示装置に電力を供給する電源部１８等を備えている。ここでは、各表示装置ｍ１〜ｍ９として、液晶表示装置を例示しているが、液晶表示装置の代わりに、ＣＲＴ（Cathode Ray Tube）、ＥＬ（Electro-Luminescence）ディスプレイ、及びプラズマディスプレイ等を適用しても構わない。
【００２１】
主制御部１１は、図１の各ケーブル２、３に接続される画像入力ポートＰ１、制御入力ポートＣ１、画像出力ポートＰ２、及び制御出力ポートＣ２を有しており、システム制御部１又は前の順番の表示装置から各ケーブル２、３を通じて転送されて来た画像データ及び制御データを画像入力ポートＰ１及び制御入力ポートＣ１に入力し、画像データ及び制御データを画像出力ポートＰ２及び制御出力ポートＣ２から各ケーブル２、３を通じて次の順番の表示装置へと出力して転送する。
【００２２】
図４は、各表示装置ｍ１〜ｍ９の主制御部１１の構成を示すブロック図である。図４に示すように主制御部１１は、中央演算部２１、記憶装置２２、ＲＡＭ（Random Access Memory）２３、冷却制御部２４、温度センサ制御部２５、シリアル通信処理部２６、表示用一時記憶部２７、及びスケーリング処理部２８等を備えている。
【００２３】
中央演算部２１は、ＣＰＵ（Central Processing Unit）等からなり、記憶装置２２に記憶されている制御用のプログラムを読込んで実行して、表示装置を制御する。記憶装置２２には、制御用のプログラムだけではなく、各種データも記憶される。ＲＡＭ２３は、中央演算部２１のワークエリア等として用いられる。
【００２４】
温度センサ制御部２５は、各温度センサ１７ａ〜１７ｄに接続され、各温度センサ１７ａ〜１７ｄにより検出されたそれぞれの検出温度を中央演算部２１に通知する。冷却制御部２４は、冷却装置１６に接続され、中央演算部２１からの指示に応じて冷却装置１６を起動したり停止させたりする。中央演算部２１は、表示装置が起動されると、冷却制御部２４を通じて冷却装置１６を起動し、また表示装置が停止されると、冷却制御部２４を通じて冷却装置１６を停止させる。また、中央演算部２１は、後で詳しく述べるようにマルチディスプレイＭにおける表示装置の配列位置を求めるに際し、表示装置が起動されていても、冷却装置１６を停止させて、この停止状態を維持する。
【００２５】
シリアル通信処理部２６は、符号器及び複合器を備え、システム制御部１又は他の表示装置から制御入力ポートＣ１を通じて制御データを受信入力すると、この制御データを複合化して中央演算部２１に出力し、また中央演算部２１から制御データを入力すると、この制御データを符号化して制御出力ポートＣ２を通じて他の表示装置へと送信出力する。
【００２６】
表示用一時記憶部２７は、システム制御部１又は他の表示装置から画像入力ポートＰ１を通じて元画像を示す画像データを受信入力すると、この画像データを一時的に記憶し、この画像データを画像出力ポートＰ２を通じて他の表示装置へと送信出力する。
【００２７】
中央演算部２１は、制御入力ポートＣ１を通じて受信入力した制御データに基づき表示制御部１３を制御する。表示制御部１３は、表示用一時記憶部２７内の画像データによって示される元画像から液晶パネル１２の画面（表示装置の画面）に表示される画像部分を切り出し、この画像部分を液晶パネル１２の画面に拡大表示する。スケーリング処理部２８は、表示用一時記憶部２７内の画像データに対して拡大処理を施すものであり、スケーリング処理部２８により拡大された画像部分が液晶パネル１２の画面に表示される。また、中央演算部２１は、バックライト制御部１５を通じてバックライト１４を駆動制御する。
【００２８】
図５は、表示装置における液晶パネル１２、冷却装置１６、及び各温度センサ１７ａ〜１７ｄ等の配置位置を示す概略図である。図５に示すように各表示装置ｍ１〜ｍ９は、筐体３１を有しており、矩形状の液晶パネル１２が筐体３１の表側開口部に取り付けられ、筐体３１の内側に主制御部１１、表示制御部１３、バックライト１４、バックライト制御部１５、電源部１８等が設けられている。各温度センサ１７ａ〜１７ｄは、矩形状の液晶パネル１２の画面の４辺に沿う筐体３１の各側板３１ａ、３１ｂ、３１ｃ、３１ｄの内側に取り付けられて、各側板３１ａ、３１ｂ、３１ｃ、３１ｄの近傍の温度を検出する。冷却装置１６は、表示装置の過熱を防止する換気ファン等からなり、筐体３１の裏板の複数の換気口にそれぞれ取り付けられている。ここでは、５つの冷却装置１６を例示しているが、冷却装置１６を増減してもよく、単一の冷却装置１６を用いても構わない。
【００２９】
ところで、このようなマルチディスプレイＭにおいては、元画像をシステム制御部１から表示装置ｍ１→ｍ２→…→ｍ８→ｍ９という順序で転送し、各表示装置ｍ１〜ｍ９毎に、マルチディスプレイＭにおける表示装置の配列位置に応じて該表示装置に表示すべき画像部分を元画像から切り出し、画像部分を表示装置の画面に拡大表示し、これにより元画像をマルチディスプレイＭに拡大表示している。このため、各表示装置ｍ１〜ｍ９は、マルチディスプレイＭにおける自己の表示装置の配列位置を予め認識しておく必要がある。
【００３０】
そこで、本実施形態では、各表示装置ｍ１〜ｍ９別に、各温度センサ１７ａ〜１７ｄにより検出されたそれぞれの検出温度に基づきマルチディスプレイＭにおける自己の表示装置の配列位置を予め認識して、この配列位置を記憶装置２２に記憶している。
【００３１】
次に、そのような表示装置の配列位置を認識するのに必要な前手順について詳しく説明する。この前手順では、各表示装置ｍ１〜ｍ９が互いに十分な距離を置いて分離されそれぞれ単独で動作している状態で、各表示装置ｍ１〜ｍ９別に、各温度センサ１７ａ〜１７ｄにより筐体３１の各側板３１ａ〜３１ｄの近傍の温度を検出し、これらの検出温度の変化分を各第１温度Ｅａ〜Ｅｄとして求め、各第１温度Ｅａ〜Ｅｄを記憶装置２２に記憶する。
【００３２】
具体的には、各表示装置ｍ１〜ｍ９別に、中央演算部２１は、表示装置の電源がオンにされて、表示装置が起動されると、この起動直後に表示装置の各側板３１ａ〜３１ｄの内側に配置されている各温度センサ１７ａ〜１７ｄの検出温度を取得し、更に一定時間を経過した後に各温度センサ１７ａ〜１７ｄの検出温度を再度取得し、一定時間後の各検出温度から起動直後の各検出温度をそれぞれ差し引いて、それぞれの検出温度の変化分を求め、これらの検出温度の変化分を各第１温度Ｅａ〜Ｅｄとして取得し、各第１温度Ｅａ〜Ｅｄを記憶装置２２に記憶する。このとき、中央演算部２１は、表示装置の起動から各第１温度Ｅａ〜Ｅｄの取得まで、冷却装置１６を停止させて、この冷却装置１６の停止状態を維持する。
【００３３】
図６のグラフには、各表示装置ｍ１〜ｍ９が互いに十分な距離を置いて分離されそれぞれ単独で動作しているときの表示装置の各温度センサ１７ａ〜１７ｄの検出温度特性ｊ１（ｔ）が示されている。この検出温度特性ｊ１（ｔ）では、表示装置の起動の後に、検出温度が徐々に上昇して行く。表示装置の起動直後の時点ｔ１で検出温度ｊ１ａが取得され、時点ｔ１より一定時間Δｔが経過した時点ｔ２で検出温度ｊ１ｂが再度取得され、検出温度ｊ１ｂから検出温度ｊ１ａが差し引かれて、その検出温度の変化分が求められる。そして、各温度センサ１７ａ〜１７ｄの検出温度の変化分が各第１温度Ｅａ〜Ｅｄとして取得される。
【００３４】
このとき、冷却装置１６の停止状態を維持しているとから、表示装置が冷却されず、表示装置の起動直後の時点ｔ１から一定時間Δｔを経過した時点ｔ２まで各温度センサ１７ａ〜１７ｄの検出温度が確実に上昇して行く。このため、各第１温度Ｅａ〜Ｅｄを安定的に求めることができる。
【００３５】
また、検出温度の変化分を求めているので、表示装置の起動前の気温もしくは室温にバラツキがあっても、検出温度の変化分には大きなバラツキが生じず、各第１温度Ｅａ〜Ｅｄを安定的に求めることができる。例えば、気温もしくは室温が低くて、表示装置の起動直後の時点ｔ１で検出温度ｊ１ａが低いときには、一定時間Δｔが経過した時点ｔ２での検出温度ｊ１ｂも低くなり、また気温もしくは室温が高くて、表示装置の起動直後の時点ｔ１で検出温度ｊ１ａが高いときには、一定時間Δｔが経過した時点ｔ２での検出温度ｊ１ｂも高くなるので、検出温度の変化分には大きなバラツキが生じず、各第１温度Ｅａ〜Ｅｄを安定的に求めることができる。
【００３６】
また、表示装置における各温度センサ１７ａ〜１７ｄの配置位置が異なり、それらの配置位置によって検出温度の上昇レベルが異なるので、各第１温度Ｅａ〜Ｅｄが異なる。一般的には、図５に示すような筐体３１において、表示装置の起動前は筐体３１の内側の温度が略一様であり、よって各温度センサ１７ａ〜１７ｄの検出温度ｊ１ａも概ね等しい。表示装置が起動されると、バックライト１４や各種の回路の発熱により筐体３１の内側の空気が加熱されて上昇するので、上側の側板３１ｃ付近の温度が上昇し易く、よって温度センサ１７ｃの検出温度ｊ１ｂが最も高くなって、第１温度Ｅｃが最も大きくなり、また下側の側板３１ｄ付近の温度が上昇し難く、よって温度センサ１７ｄの検出温度ｊ１ｂが温度センサ１７ｃの検出温度ｊ１ｂよりも低くなって、第１温度Ｅｄが第１温度Ｅｃよりも小さくなり、更に左側及び右側の各側板３１ａ、３１ｂ付近の温度も上昇し難く、各温度センサ１７ａ、１７ｂの検出温度ｊ１ｂが温度センサ１７ｃの検出温度ｊ１ｂよりも低くなって、各第１温度Ｅａ、Ｅｂが第１温度Ｅｃよりも小さくなる。
【００３７】
こうして求められた各第１温度Ｅａ〜Ｅｄは、記憶装置２２内の温度テーブルＤ１に記憶される。尚、各表示装置ｍ１〜ｍ９が同一構成であるため、各表示装置ｍ１〜ｍ９間では各温度センサ１７ａ〜１７ｄの検出温度の差が僅少となり、各第１温度Ｅａ〜Ｅｄが概ね一致する。このため、各表示装置ｍ１〜ｍ９のいずれか１つを用いて、各第１温度Ｅａ〜Ｅｄを求め、各第１温度Ｅａ〜Ｅｄを各表示装置ｍ１〜ｍ９の記憶装置２２内の温度テーブルＤ１に書き込んでもよい。
【００３８】
図７は、記憶装置２２内の温度テーブルＤ１を概念的に示す図である。図７に示すように温度テーブルＤ１においては、各温度センサ１７ａ〜１７ｄの配置位置（左側の側板３１ａ、右側の側板３１ｂ、上側の側板３１ｃ、下側の側板３１ｄ）に対応付けられて、各第１温度Ｅａ〜Ｅｄ、各第２温度Ｆａ〜Ｆｄ、及び各温度差ΔＧａ〜ΔＧｄ（「小」又は「大」）が記憶されている。各第２温度Ｆａ〜Ｆｄは、各表示装置ｍ１〜ｍ９を配列して組み合わせてマルチディスプレイＭを構成した状態で、各第１温度Ｅａ〜Ｅｄと同様の方法で求められる。各温度差ΔＧａ〜ΔＧｄは、各第１温度Ｅａ〜Ｅｄと各第２温度Ｆａ〜Ｆｄとのそれぞれの差である。
【００３９】
このように前手順では、各第１温度Ｅａ〜Ｅｄを各表示装置ｍ１〜ｍ９の記憶装置２２内の温度テーブルＤ１に予め記憶しておく。そして、各表示装置ｍ１〜ｍ９を配列して組み合わせて、マルチディスプレイＭを構成したときには、各表示装置ｍ１〜ｍ９別に、各第１温度Ｅａ〜Ｅｄと同様の方法で、各温度センサ１７ａ〜１７ｄの検出温度に基づき各第２温度Ｆａ〜Ｆｄを取得し、各第２温度Ｆａ〜Ｆｄから各第１温度Ｅａ〜Ｅｄを差し引いて、各温度差ΔＧａ〜ΔＧｄを求め、各第２温度Ｆａ〜Ｆｄ及び各温度差ΔＧａ〜ΔＧｄを記憶装置２２内の温度テーブルＤ１に記憶し、各温度差ΔＧａ〜ΔＧｄ（「小」又は「大」）に基づきマルチディスプレイＭにおける表示装置の配列位置を判定して認識する。
【００４０】
次に、マルチディスプレイＭを構成した状態で、表示装置の配列位置を判定して認識するための処理手順を詳しく説明する。まず、各表示装置ｍ１〜ｍ９別に、中央演算部２１は、表示装置が起動されると、この起動直後に表示装置の各側板３１ａ〜３１ｄの内側に配置されている各温度センサ１７ａ〜１７ｄの検出温度を取得し、更に一定時間を経過した後に各温度センサ１７ａ〜１７ｄの検出温度を再度取得し、一定時間後の各検出温度から起動直後の各検出温度をそれぞれ差し引いて、それぞれの検出温度の変化分を求め、これらの検出温度の変化分を各第２温度Ｆａ〜Ｆｄとして取得し、各第２温度Ｆａ〜Ｆｄを記憶装置２２内の温度テーブルＤ１に書き込んで記憶する。このとき、中央演算部２１は、表示装置の起動から各第２温度Ｆａ〜Ｆｄの取得まで、冷却装置１６を停止させて、この冷却装置１６の停止状態を維持する。
【００４１】
そして、中央演算部２１は、各温度センサ１７ａ〜１７ｄの配置位置（左側の側板３１ａ、右側の側板３１ｂ、上側の側板３１ｃ、下側の側板３１ｄ）別に、第１温度と第２温度との温度差を求め、この温度差を「小」又は「大」として温度テーブルＤ１に書き込んで記憶する。すなわち、第２温度Ｆａから第１温度Ｅａを差し引いて温度差ΔＧａを求め、また第２温度Ｆｂから第１温度Ｅｂを差し引いて温度差ΔＧｂを求め、更に第２温度Ｆｃから第１温度Ｅｃを差し引いて温度差ΔＧｃを求め、また第２温度Ｆｄから第１温度Ｅｄを差し引いて温度差ΔＧｄを求める。そして、各温度差ΔＧａ〜ΔＧｄ別に、温度差を予め設定された閾値と比較し、温度差が閾値未満であれば、その温度差を「小」とし、また温度差が閾値以上であれば、その温度差を「大」として、各温度差ΔＧａ〜ΔＧｄを「小」又は「大」として温度テーブルＤ１に書き込んで記憶する。
【００４２】
これにより、図７に示すように温度テーブルＤ１には、左側の側板３１ａ、右側の側板３１ｂ、上側の側板３１ｃ、下側の側板３１ｄに対応付けられて、各第１温度Ｅａ〜Ｅｄ、各第２温度Ｆａ〜Ｆｄ、及び各温度差ΔＧａ〜ΔＧｄの「小」又は「大」が記憶される。
【００４３】
ここで、各表示装置ｍ１〜ｍ９が互いに十分な距離を置いて分離されそれぞれ単独で動作しているときには、各表示装置ｍ１〜ｍ９のいずれについても、自己の表示装置の各側板３１ａ〜３１ｄの隣に空きスペースがあることから、各側板３１ａ〜３１ｄが放熱され易い。このため、各側板３１ａ〜３１ｄの内側に配置されている各温度センサ１７ａ〜１７ｄの検出温度は、図６のグラフに示す検出温度特性ｊ１（ｔ）のように徐々に上昇する。
【００４４】
また、各表示装置ｍ１〜ｍ９がマルチディスプレイＭとして動作しているときには、図２から明らかなように各表示装置ｍ１〜ｍ４、ｍ６〜ｍ９については、自己の表示装置の各側板３１ａ〜３１ｄのうちの１枚又は２枚の側板の隣に空きスペースがあることから、その１枚又は２枚の側板が放熱され易い。このため、各温度センサ１７ａ〜１７ｄのうちの、その１枚又は２枚の側板の内側に配置されている１個又は２個の温度センサの検出温度が上昇し難く、この検出温度が図６のグラフに示す検出温度特性ｊ１（ｔ）と概ね同様に徐々に上昇する。従って、その空きスペースを臨む１枚又は２枚の側板の内側に配置されている１個又は２個の温度センサの検出温度に基づく第１温度と第２温度との温度差が小さくなり、温度テーブルＤ１においては、その１枚又は２枚の側板に対応する温度差が「小」として設定される。
【００４５】
更に、各表示装置ｍ１〜ｍ９がマルチディスプレイＭとして動作しているときには、各表示装置ｍ１〜ｍ９のいずれについても、自己の表示装置の隣に他の表示装置が配置されていると、その他の表示装置に隣接する自己の表示装置の側板が放熱され難い。このため、各温度センサ１７ａ〜１７ｄのうちの、その他の表示装置に隣接する自己の表示装置の側板の内側に配置されている温度センサの検出温度が速やかに上昇する。
【００４６】
図６のグラフには、その他の表示装置に隣接する自己の表示装置の側板の内側に配置されている温度センサの検出温度特性ｊ２（ｔ）が示されている。この検出温度特性ｊ２（ｔ）では、表示装置の起動の後に、検出温度が検出温度特性ｊ１（ｔ）よりも速やかに上昇して行く。そして、表示装置の起動直後の時点ｔ１で検出温度ｊ２ａが取得され、時点ｔ１より一定時間Δｔが経過した時点ｔ２で検出温度ｊ２ｂが再度取得され、検出温度ｊ２ｂから検出温度ｊ２ａが差し引かれて、その検出温度の変化分が求められ、この検出温度の変化分が第２温度として取得される。従って、その他の表示装置に隣接する自己の表示装置の側板の内側に配置されている温度センサの検出温度に基づく第１温度と第２温度との温度差が大きくなり、温度テーブルＤ１においては、その他の表示装置に隣接する自己の表示装置の側板に対応する温度差が「大」として設定される。
【００４７】
例えば、図２から明らかなように、マルチディスプレイＭにおける配列位置が「下段左」の表示装置ｍ１については、左側及び下側に空きスペースがあるため、温度テーブルＤ１においては、左側及び下側の各側板３１ａ３１ｄに対応する各温度差ΔＧａ、ΔＧｄが「小」に設定される。また、右側及び上側に他の表示装置ｍ２、ｍ６が配置されているため、温度テーブルＤ１においては、右側及び上側の各側板３１ｂ、３１ｃに対応する各温度差ΔＧｂ、ΔＧｃが「大」に設定される。
【００４８】
また、マルチディスプレイＭにおける配列位置が「中段中央」の表示装置ｍ５については、左側、右側、上側、及び下側に他の表示装置ｍ６、ｍ４、ｍ８、ｍ２が配置されているため、温度テーブルＤ１においては、左側、右側、上側、及び下側の各側板３１ａ〜３１ｄに対応する各温度差ΔＧａ〜ΔＧｄが「大」に設定される。
【００４９】
更に、マルチディスプレイＭにおける配列位置が「上段右」の表示装置ｍ９については、右側及び上側に空きスペースがあるため、温度テーブルＤ１においては、右側及び上側の各側板３１ｂ、３１ｃに対応する各温度差ΔＧｂ、ΔＧｃが「小」に設定される。また、左側及び下側に他の表示装置ｍ８、ｍ４が配置されているため、温度テーブルＤ１においては、左側及び下側の各側板３１ａ、３１ｄに対応する各温度差ΔＧａ、ΔＧｄが「大」に設定される。
【００５０】
他の表示装置ｍ２〜ｍ４、ｍ６〜ｍ８についても、左側、右側、上側、及び下側（各側板３１ａ〜３１ｄの隣）に空きスペース及び他の表示装置のいずれがあるかにより、温度テーブルＤ１においては、各側板３１ａ〜３１ｄに対応する各温度差ΔＧａ〜ΔＧｄが「小」又は「大」に設定される。
【００５１】
こうして各表示装置ｍ１〜ｍ９別に、各側板３１ａ〜３１ｄに対応付けて各温度差ΔＧａ〜ΔＧｄの「小」又は「大」が記憶装置２２内の温度テーブルＤ１に書き込まれる。この後、中央演算部２１は、記憶装置２２に予め記憶されている配列位置認識テーブルＤ２を参照して、自己の表示装置の温度テーブルＤ１に書き込んだ各温度差ΔＧａ〜ΔＧｄの「小」及び「大」の組み合わせに対応する自己の表示装置の配列位置を求めて、この配列位置を記憶装置２２に記憶する。
【００５２】
図８は、記憶装置２２に予め記憶されている配列位置認識テーブルＤ２を概念的に示す図である。図８に示すように配列位置認識テーブルＤ２には、各表示装置ｍ１〜ｍ９の配列位置と各温度差ΔＧａ〜ΔＧｄの「小」及び「大」の組み合わせとの対応関係が記憶されている。
【００５３】
図２から明らかなように各表示装置ｍ１〜ｍ９のいずれについても、表示装置の配列位置によって左側、右側、上側、及び下側（各側板３１ａ〜３１ｄの隣）に空きスペース及び他の表示装置のいずれがあるかが決まり、故に表示装置の配列位置に応じて各温度差ΔＧａ〜ΔＧｄの「小」及び「大」の組み合わせが決まる。そして、配列位置認識テーブルＤ２から明らかなように、各表示装置ｍ１〜ｍ９の間では、各温度差ΔＧａ〜ΔＧｄの「大」及び「小」の組み合わせが互いに異なり一致することはない。
【００５４】
このため、中央演算部２１は、配列位置認識テーブルＤ２を参照して、自己の表示装置の温度テーブルＤ１に書き込んだ各温度差ΔＧａ〜ΔＧｄの「大」及び「小」の組み合わせと一致する組み合わせを検索して、この組み合わせに対応する自己の表示装置の配列位置を求め、この配列位置を記憶装置２２に記憶することができる。
【００５５】
次に、図９のフローチャートに従って、マルチディスプレイＭにおける自己の表示装置の配列位置を判定するための処理手順を整理して説明する。
【００５６】
まず、中央演算部２１は、自己の表示装置の電源がオンにされて、表示装置が起動されると（ステップＳ１０１）、マルチディスプレイＭにおける表示装置の配列位置が記憶装置２２に既に記憶されているか否かを判定する（ステップＳ１０２）。そして、中央演算部２１は、表示装置の配列位置が記憶装置２２に既に記憶されていれば（ステップＳ１０２で「Ｙｅｓ」）、表示装置の配列位置を求める必要がないことから、ステップＳ１０３〜Ｓ１０５の処理を行うことなく、冷却装置１６を起動する（ステップＳ１０６）。そして、システム制御部１又は前の順番の表示装置からの元画像の転送を待機し、元画像が転送されて来る度に、元画像を表示用一時記憶部２７に記憶し、記憶装置２２に既に記憶されている表示装置の配列位置に応じた画像部分を元画像から切り出して、この画像部分を液晶パネル１２の画面に拡大表示する。
【００５７】
また、中央演算部２１は、表示装置の配列位置が記憶装置２２に記憶されていなければ（ステップＳ１０２で「Ｎｏ」）、表示装置の配列位置を求めるために、表示装置の起動直後の時点ｔ１で各温度センサ１７ａ〜１７ｄの検出温度を取得し、更に一定時間Δｔを経過した時点ｔ２で各温度センサ１７ａ〜１７ｄの検出温度を再度取得し（ステップＳ１０３）、時点ｔ２での各検出温度から時点ｔ１での各検出温度をそれぞれ差し引いて、それぞれの検出温度の変化分を求め、これらの検出温度の変化分を各第２温度Ｆａ〜Ｆｄとして取得し、各第２温度Ｆａ〜Ｆｄを記憶装置２２内の温度テーブルＤ１に書き込んで記憶する。このとき、中央演算部２１は、冷却装置１６を起動せず、冷却装置１６の停止状態を維持し続ける。
【００５８】
そして、中央演算部２１は、各温度センサ１７ａ〜１７ｄの配置位置（左側の側板３１ａ、右側の側板３１ｂ、上側の側板３１ｃ、下側の側板３１ｄ）別に、第１温度と第２温度との温度差を求め、この温度差の「小」又は「大」を温度テーブルＤ１に書き込んで記憶する。つまり、各第２温度Ｆａ〜Ｆｄから各第１温度Ｅａ〜Ｅｄを差し引いて、各温度差ΔＧａ〜ΔＧｄを求め、各温度差ΔＧａ〜ΔＧｄの「小」又は「大」を温度テーブルＤ１に書き込む。
【００５９】
更に、中央演算部２１は、記憶装置２２に予め記憶されている配列位置認識テーブルＤ２を参照して、温度テーブルＤ１に書き込んだ各温度差ΔＧａ〜ΔＧｄの「小」及び「大」の組み合わせに対応する自己の表示装置の配列位置を判定して（ステップＳ１０４）、この配列位置を記憶装置２２に記憶する（ステップＳ１０５）。
【００６０】
この後、中央演算部２１は、冷却装置１６を起動する（ステップＳ１０６）。そして、システム制御部１又は前の順番の表示装置から元画像が転送されて来る度に、元画像を表示用一時記憶部２７に記憶し、ステップＳ１０５で記憶装置２２に記憶された表示装置の配列位置に応じた画像部分を元画像から切り出して、この画像部分を液晶パネル１２の画面に拡大表示する。
【００６１】
このように本実施形態では、各表示装置ｍ１〜ｍ９が互いに分離されてそれぞれ単独で動作している状態で、各表示装置ｍ１〜ｍ９別に、各温度センサ１７ａ〜１７ｄにより筐体３１の各側板３１ａ、３１ｂ、３１ｃ、３１ｄの近傍の温度を検出し、これらの検出温度の変化分を各第１温度Ｅａ〜Ｅｄとして求めておき、マルチディスプレイＭを構成した状態でも、各表示装置ｍ１〜ｍ９別に、各第１温度Ｅａ〜Ｅｄと同様の方法で各第２温度Ｆａ〜Ｆｄを求め、各第２温度Ｆａ〜Ｆｄから各第１温度Ｅａ〜Ｅｄを差し引いて、各温度差ΔＧａ〜ΔＧｄを求め、各温度差ΔＧａ〜ΔＧｄの「小」又は「大」を温度テーブルＤ１に書き込み、配列位置認識テーブルＤ２を参照して、温度テーブルＤ１に書き込んだ各温度差ΔＧａ〜ΔＧｄの「小」及び「大」の組み合わせに対応する自己の表示装置の配列位置を求めている。このため、簡単な設備と手順で、各表示装置ｍ１〜ｍ９の配列位置を認識することができる。
【００６２】
尚、上記実施形態では、各表示装置ｍ１〜ｍ９を縦横３台ずつ配列して組み合わせているが、各表示装置を縦横２台ずつ配列して組み合わせても、あるいは各表示装置を縦２台横３台あるいは縦３台横２台配列して組み合わせても、本発明を適用することができる。
【００６３】
以上、添付図面を参照しながら本発明の好適な実施形態及び変形例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【符号の説明】
【００６４】
１  システム制御部
２、３  ケーブル
１１  主制御部
１２  液晶パネル
１３  表示制御部
１４  バックライト
１５  バックライト制御部
１６  冷却装置
１７ａ〜１７ｄ  温度センサ（温度検出部）
１８  電源部
２１  中央演算部（制御部）
２２  記憶装置
２３  ＲＡＭ
２４  冷却制御部
２５  温度センサ制御部
２６  シリアル通信処理部
２７  表示用一時記憶部
２８  スケーリング処理部
３１  筐体
３１ａ〜３１ｄ  側板（側部）
Ｓ  画像表示システム
Ｍ  マルチディスプレイ
ｍ１〜ｍ９  表示装置
【図１】
2014203042.tif 000003
【図２】
2014203042.tif 000004
【図３】
2014203042.tif 000005
【図４】
2014203042.tif 000006
【図５】
2014203042.tif 000007
【図６】
2014203042.tif 000008
【図７】
2014203042.tif 000009
【図８】
2014203042.tif 000010
【図９】
2014203042.tif 000011